(57)【要約】【課題】通気開口部を閉じる位置に配置された開閉パネルをしっかりと保持することができる建材を提供する。【解決手段】建材本体と、縦長の開閉パネル３を備える。建材本体に縦長で前後方向に貫通する換気用の通気開口部２０が設けられる。開閉パネル３が通気開口部２０を閉じる閉位置と通気開口部２０を開く開位置との間で縦軸回りに回動自在に設けられる。さらに、通気開口部２０の両側に通気開口部２０の幅方向に移動可能に設けられた保持部材と、各保持部材に通気開口部２０の幅方向の内側に向かって弾性力を付与する弾性部材１１とを備える。各保持部材に閉位置に配置された開閉パネルの側端部が着脱可能に凹凸嵌合する嵌合部８０が形成されている。【選択図】図１
2015098713.tif 000002
【特許請求の範囲】
【請求項１】
建材本体と、縦長の開閉パネルを備え、前記建材本体に縦長で前後方向に貫通する換気用の通気開口部が設けられ、前記開閉パネルが前記通気開口部を閉じる閉位置と前記通気開口部を開く開位置との間で縦軸回りに回動自在に設けられ、さらに、前記通気開口部の両側に前記通気開口部の幅方向に移動可能に設けられた保持部材と、前記各保持部材に前記通気開口部の幅方向の内側に向かって弾性力を付与する弾性部材とを備え、前記各保持部材に前記閉位置に配置された開閉パネルの側端部が着脱可能に凹凸嵌合する嵌合部が形成されたことを特徴とする建材。
【請求項２】
前記開閉パネルが透光性を有する採光パネルであることを特徴とする請求項１に記載の建材。
【発明の詳細な説明】
【技術分野】
【０００１】
本発明は換気用の通気開口部を有する建材に関する。
【背景技術】
【０００２】
特許文献１には、戸が記載されている。この戸は、戸体に設けられた開口部を開閉するルーバー羽根を備えている。
【先行技術文献】
【特許文献】
【０００３】
【特許文献１】特開２０１０−２５５３８８号公報
【発明の概要】
【発明が解決しようとする課題】
【０００４】
特許文献１に記載されたルーバー羽根は、開口部の側壁に当接することで開口部を閉鎖するように構成されている。ところが、このようにルーバー羽根を開口部の側壁に当接するだけでは、ルーバー羽根がしっかり保持され難いという問題がある。
【０００５】
本発明は前記事情に鑑みて発明されたものであり、通気開口部を閉じる位置に配置された開閉パネルをしっかりと保持することができる建材を提供することを目的とする。
【課題を解決するための手段】
【０００６】
本発明の建材は、建材本体と、縦長の開閉パネルを備え、前記建材本体に縦長で前後方向に貫通する換気用の通気開口部が設けられ、前記開閉パネルが前記通気開口部を閉じる閉位置と前記通気開口部を開く開位置との間で縦軸回りに回動自在に設けられ、さらに、前記通気開口部の両側に前記通気開口部の幅方向に移動可能に設けられた保持部材と、前記各保持部材に前記通気開口部の幅方向の内側に向かって弾性力を付与する弾性部材とを備え、前記各保持部材に前記閉位置に配置された開閉パネルの側端部が着脱可能に凹凸嵌合する嵌合部が形成されている。
【０００７】
また、前記開閉パネルが透光性を有する採光パネルであることが好ましい。
【発明の効果】
【０００８】
本発明に係る建材は、閉位置に配置された開閉パネルの両側端部を、弾性部材によって通気開口部の幅方向内側に向けて押圧された保持部材の嵌合部に凹凸嵌合させることができる。また、両保持部材は通気開口部の幅方向に移動可能である。このため、寸法誤差や施工誤差等によって閉じられた開閉パネルの位置が通気開口部の幅方向に多少ずれたとしても、開閉パネルの両側端部を対応する保持部材の嵌合部に合わせて嵌合することができる。従って、閉位置に配置された開閉パネルを両保持部材によってしっかりと保持することができる。
【図面の簡単な説明】
【０００９】
【図１】本発明の第一実施形態の建材であって、開閉パネルが設けられた通気開口部における水平断面図であり、（ａ）は開閉パネルが閉位置に配置された状態を示し、（ｂ）は開閉パネルが閉位置と開位置の間に配置された状態を示し、（ｃ）は開閉パネルが開位置に配置された状態を示している。
【図２】同上の建材の正面図である。
【図３】同上の建材の要部斜視図である。
【図４】同上の建材の分解斜視図である。
【図５】図４の拡大図である。
【図６】同上の上側の軸受ユニットの斜視図である。
【図７】同上の軸受ユニットの分解斜視図である。
【図８】同上の軸受ユニットの動作を示す説明図であり、（ａ）は開閉パネルが閉位置に配置されたときの状態を示し、（ｂ）は開閉パネルが閉位置と開位置の間に配置されたときの状態を示し、（ｃ）は開閉パネルが開位置に配置されたときの状態を示している。
【図９】第二実施形態の建材の正面図である。水平断面図である。
【発明を実施するための形態】
【００１０】
以下、添付図面に基づいて本発明の実施形態につき説明する。
【００１１】
（第一実施形態）
本実施形態は、本発明を建材であるドア１に適用したものである。図２にはドア１の正面図が示されている。ドア１は、建物内に設けられる室内ドアであって、部屋の出入口を開閉するために建物の内部を仕切る建具として用いられる。具体的に、ドア１は、図示しないドア枠により構成された建物開口部に回動自在に設けられる開き戸である。なお、以下では、ドア１の厚み方向を前後方向、幅方向を左右方向として説明する。
【００１２】
ドア１には、換気用の開口部として、開通方向を前後方向とした通気開口部２０が形成されている。通気開口部２０には換気装置４が設けられている。
【００１３】
具体的にドア１は建材本体としてドア本体２を備えている。ドア本体２の戸先側には、縦長の通気開口部２０がドア本体２の上下方向の略全長に亘るように上下に２つ並べて形成されている。各通気開口部２０には、換気装置４が設けられている。
【００１４】
各換気装置４は、開閉パネル３と、軸受ユニット９（図４参照）を備えている。各換気装置４の開閉パネル３は縦長であり、通気開口部２０に設けられている。各開閉パネル３は、対応する通気開口部２０を開閉することができるように、ドア本体２に対して回動自在に設けられている。上下の開閉パネル３のうちの一方の開閉パネル３を選択的に開くことで、プライベート性を確保しながら換気が行えるようになっている。
【００１５】
各開閉パネル３は、図１（ａ）に示される閉位置から、図１（ｃ）に示される開位置までの範囲で回動できるように、ドア本体２に縦軸回りに回動自在に取り付けられている。ここで、縦軸回りとは、開閉パネル３の回動軸方向が縦方向（上下方向）と平行であることを意味する。なお、以下の説明では、特に記載する場合を除き、図１（ａ）に示されるように、開閉パネル３が通気開口部２０を閉じる閉位置に配置されたときの方向を基準にして説明する。すなわち、開閉パネル３の厚み方向を前後方向とし、開閉パネル３の幅方向を左右方向として説明する。
【００１６】
各開閉パネル３の上下長さは、対応する通気開口部２０の上下長さと略同じ長さである。各開閉パネル３の厚みは、ドア本体２の厚みよりも小さい。各開閉パネル３の幅は、対応する通気開口部２０の幅よりもやや小さい。
【００１７】
各開閉パネル３は、透光性を有する採光パネルで構成されている。各開閉パネル３は、図５に示されるように、透光性を有する縦長平板状の透光板３０と、透光板３０の四周を囲んで保持したパネル枠５とで構成されている。なお、前記透光性を有する透光板３０とは、透明なものだけに限られず、磨りガラス等の半透明あるいは不透明なものも含まれる。
【００１８】
各開閉パネル３の透光板３０はガラス板である。詳しくは、各開閉パネル３の透光板３０は、二枚の板ガラスが合成樹脂膜を介して接着された合わせガラスである。合わせガラスは、帯電性が低い。このため、開閉パネル３には、埃やごみ等が付き難くなっている。なお、透光板３０は合わせガラスに限られず、一枚の板ガラスであってもよい。また、透光板３０は、アクリル樹脂等のその他の透明な材料で形成されてもよい。
【００１９】
各開閉パネル３の透光板３０は、縦長矩形状に形成されている。各開閉パネル３の透光板３０は、図１に示されるように、その水平断面形状が横長の矩形状に形成されている。
【００２０】
各開閉パネル３のパネル枠５は、図５に示されるように、左右の縦枠材５０及び上下の横枠材５１で構成されている。左右の縦枠材５０及び上下の横枠材５１は、縦長矩形状に枠組みされている。
【００２１】
各縦枠材５０は、開閉パネル３の側縁部を構成している。各縦枠材５０は、金属製であって、例えばアルミニウム製である。縦長の各縦枠材５０の長さは、透光板３０の長さと略同じである。
【００２２】
各縦枠材５０の水平断面形状は、上下方向に亘って一様である。各縦枠材５０は、図１（ａ）に示されるように透光板３０側に開口した溝状（略Ｃ字状）に形成されている。各縦枠材５０は、溝奥部を構成する主部５００と、主部５００の前後両端部から透光板３０側に突出した縁部５０１で構成されている。
【００２３】
各縦枠材５０の他方の縦枠材５０側の面である内側面には、他方の縦枠材５０側に開口した縦溝部５０２が上下方向に亘って形成されている。各縦枠材５０の縦溝部５０２は、溝奥部が主部５００の他方の縦枠材５０側の面で構成され、溝側面が両縁部５０１の対向面で構成されている。各縦枠材５０は、縦溝部５０２に透光板３０の側端部を嵌め込むことで、透光板３０に嵌め付けられている。
【００２４】
縦枠材５０の主部５００の透光板３０と反対側の面５０６は、各開閉パネル３の側端面を構成する。各縦枠材５０の面５０６は、開閉パネル３が閉位置に配置されたときに前後方向と平行になる。各縦枠材５０の面５０６の前端は、主部５００の表面部となる前面部に接続され、各縦枠材５０の面５０６の後端は、主部５００の表面部となる後面部に接続されている。
【００２５】
各縦枠材５０の主部５００の厚み（前後寸法）は、透光板３０側から離れる程小さくなっている。各縦枠材５０の主部５００の前面部及び後面部は、透光板３０側から離れる程互いに近づくように傾斜した傾斜面部５０３となっている。
【００２６】
各縦枠材５０の上端部及び下端部には、ビスねじ込み部が形成されている。本実施形態では、縦溝部５０２の溝奥面に水平断面Ｃ字状のビスポケット５０５が上下方向に亘って形成されている。そして、ビスポケット５０５の上下両端部によってビスねじ込み部が構成されている。
【００２７】
図５に示されるように、横長の横枠材５１は、両縦枠材５０の上端部間及び下端部間の夫々に架け渡されている。各横枠材５１の長さ方向の両端部には、上下に貫通するビス用孔（不図示）が形成されている。各横枠材５１には、透光板３０側に開口した横溝部（不図示）が左右方向に亘って形成されている。
【００２８】
各横枠材５１は、前記横溝部に透光板３０の長手方向の端部を嵌め込むことで、透光板３０に嵌め付けられている。各横枠材５１の前記各ビス用孔には、上下方向における透光板３０側とは反対側からビス５２が通されている。これらビス５２は、対応する縦枠材５０の前記ビスねじ込み部にねじ込まれている。これにより、各横枠材５１は、両縦枠材５０に取り付けられている。つまり、透光板３０は、左右両端部がパネル枠５の縦溝部５０２に嵌め込まれ、上下両端部がパネル枠５の前記横溝部に嵌め込まれている。また、透光板３０は、左右の縦枠材５０で挟まれ且つ上下の横枠材５１で挟まれることで、パネル枠５に保持されている。
【００２９】
上下の横枠材５１の透光板３０と反対側の外面における横枠材５１の長手方向の中間部には、透光板３０と反対側に突出した軸部５１０が形成されている。これら軸部５１０は、その軸心が透光板３０の水平断面における中心を通る中心線と一致して開閉パネル３の回動軸を構成している。すなわち、これら軸部５１０は、ドア本体２に対して縦軸回りに回動自在に支持される被支持部として機能する。
【００３０】
各開閉パネル３は、上下の軸部５１０が通気開口部２０の上下に設けられた軸受部で回動自在に支持されることで、ドア本体２に対して縦軸回りに回動自在に取り付けられている。
【００３１】
ドア本体２は、図４に示される、左右のドア材６と、両ドア材６を連結する連結材７とで構成されている。
【００３２】
両ドア材６は縦長の矩形板状に形成されている。戸先側のドア材６は、ドア本体２の戸先側の端部を構成している。吊元側のドア材６は、戸先側のドア材６よりも幅が広く、ドア本体２の過半部（戸先側部分を除く部分）を構成している。
【００３３】
両ドア材６は、図２に示されるように、互いの上端部同士、下端部同士、及び中間部同士が、夫々横長の連結材７によって連結されている。これにより、ドア本体２には、縦長矩形状の通気開口部２０が２つ形成されている。以下、特に区別する場合には、上側の連結材７、下側の連結材７、及びその間の連結材７を夫々、上連結材７０、下連結材７１、及び中間連結材７２と記載する。
【００３４】
上側の通気開口部２０は、上連結材７０、中間連結材７２、及び左右のドア材６の上部で囲まれている。上側の通気開口部２０の上縁部は上連結材７０で構成され、上側の通気開口部２０の下縁部は中間連結材７２で構成されている。上側の通気開口部２０の左右の縁部は、左右のドア材６で構成されている。
【００３５】
下側の通気開口部２０は、中間連結材７２、下連結材７１、及び左右のドア材６の下部で囲まれている。下側の通気開口部２０の上縁部は中間連結材７２で構成され、下側の通気開口部２０の下縁部は下連結材７１で構成されている。下側の通気開口部２０の左右の縁部は、左右のドア材６で構成されている。
【００３６】
両ドア材６は、いわゆるフラッシュ構造を有する板状のパネル材である。すなわち、両ドア材６は、図１に示されるように芯材６４の表面を表面材６５で被覆したものである。各ドア材６の芯材６４は木製であり、正面視矩形状の枠体で構成されている。
【００３７】
各ドア材６の表面材６５は、板材６５０と、板材６５０の表面に積層された化粧シート６５１を備えている。化粧シート６５１は、合成樹脂製でその表面には木目模様が施されている。各ドア材６の表面材６５の板材６５０の裏面には、折曲溝が形成されている。各ドア材６の表面材６５は、前記折曲溝を境にして折り曲げることで、芯材６４の外周面に沿って設けられている。
【００３８】
各ドア材６の上下両端面には、図５に示されるように、他方のドア材６側に開口する嵌込溝部６２が形成されている。嵌込溝部６２は、図３に示されるように、上連結材７０や下連結材７１を嵌め込む部分となる。
【００３９】
各ドア材６の他方のドア材６側の側面には、縦長の凹溝部６３（図１参照）が形成されている。各凹溝部６３は、ドア材６の嵌込溝部６２が形成された上下両端部を除く部分に亘って形成されている。各凹溝部６３は、ドア材６の厚み方向における中間部に形成されている。
【００４０】
各凹溝部６３の長さ方向の中間部には、図５に示されるように、他の部分よりも溝幅が広くなった凹所６３０が形成されている。
【００４１】
中間連結材７２は、無垢材、あるいは、ドア材６と同様のパネル材等で形成されている。中間連結材７２の両側端面には、ダボ７２０が複数設けられている。図示例では、中間連結材７２の両側端面の上下に、ダボ７２０が設けられている。
【００４２】
中間連結材７２の両側端部は、対応する凹溝部６３の凹所６３０に嵌め込まれている。中間連結材７２の各ダボ７２０は、対応する凹所６３０の奥部に形成されたダボ穴（不図示）に嵌め込まれている。これにより、両ドア材６の上下方向の中間部同士が中間連結材７２によって連結されている。
【００４３】
図１（ａ）に示されるように、各通気開口部２０の両側面には、縁隠し材８が設けられている。各縁隠し材８は、対応する通気開口部２０の上下方向の全長に亘っている。各縁隠し材８は合成樹脂製である。各縁隠し材８の表面には木目模様が施されている。なお、各縁隠し材８は、合成樹脂製に限られず、例えば木製であってもよい。
【００４４】
各縁隠し材８の水平断面形状は、上下方向に亘って一様である。各縁隠し材８は、幅方向において開閉パネル３側と反対側の部分が対応する凹溝部６３に左右方向に移動自在に挿入されている。
【００４５】
各縁隠し材８は、ドア本体２の厚み方向における中間部に位置し、互いに対向している。各縁隠し材８の凹溝部６３と反対側の部分は、通気開口部２０の側面から通気開口部２０の幅方向における内側に向かって突出している。
【００４６】
各縁隠し材８の厚みは、開閉パネル３（パネル枠５）の厚みよりも大きく且つドア本体２（ドア材６）の厚みよりも小さくなっている。各縁隠し材８は、ドア本体２の厚みの範囲内に納められている。このようにすることで、通気開口部２０を開いたときに縁隠し材８を小さくて通気の邪魔になり難くすることができる。なお、各縁隠し材８の厚みは、十分な通気量を確保するため、ドア本体２の厚みの１／２以下の寸法としてもよい。
【００４７】
各縁隠し材８には、開閉パネル３の対応する側端部に嵌合可能な嵌合部８０が形成されている。嵌合部８０は、縁隠し材８の開閉パネル３側の端部に形成された、開閉パネル３側に向かって開口する凹部８００で構成されており、縁隠し材８の上下全長に亘って形成されている。各縁隠し材８の凹部８００の前方部及び後方部には、開閉パネル３側に突出した突部８０３が形成されている。
【００４８】
各縁隠し材８の凹部８００は、開閉パネル３の対応する縦枠材５０の主部５００に略合致して嵌合可能な形状を有している。すなわち、各縁隠し材８の凹部８００の前後幅は、開閉パネル３側に行く程広がっている。これにより、各縁隠し材８の凹部８００の前後両側の側面部８０１は、開閉パネル３側に行く程互いに離れるように傾斜している。また、各縁隠し材８の凹部８００の奥面部８０２は前後方向と平行になっている。
【００４９】
各縁隠し材８の前後両側の突部８０３は、前後方向における凹部８００側と反対側の面が、開閉パネル３側に行く程前後方向において凹部８００側に近づくように湾曲又は傾斜している。これにより、戸先側の縁隠し材８の前側の突部８０３の前面、及び吊元側の縁隠し材８の後側の突部８０３の後面は、開閉パネル３側に行く程前後方向において凹部８００側に近づくように湾曲又は傾斜したガイド面８０４となっている。
【００５０】
各凹溝部６３の縁隠し材８に対応する部分における開閉パネル３側（通気開口部２０の幅方向内側）の側端部においては、凹溝部６３の幅方向両側の側面から突出した突起６３２が形成されている。一方、各縁隠し材８の開閉パネル３と反対側の端部には、前後方向における外側に向かって突出した規制部８２が形成されている。各規制部８２は、凹溝部６３の対応する溝側面に沿ってスライド可能に配置されている。また、各規制部８２は、対応する突起６３２よりも左右方向において開閉パネル３と反対側に位置している。
【００５１】
各縁隠し材８は、図１（ｃ）に示されるように開閉パネル３側に向かって大きく突出した突出位置と、図１（ｂ）に示されるように開閉パネル３側と反対側に大きく入り込んだ没入位置との間で、左右方向に移動可能になっている。
【００５２】
各縁隠し材８は、前記突出位置に配置された状態では、前後の規制部８２が対応する突起６３２に当たり、それ以上開閉パネル３側に移動できないようになっている。すなわち、両突起６３２は、凹溝部６３に挿入された縁隠し材８が開閉パネル３側に抜け出ることを防止する抜止部として機能する。
【００５３】
各凹溝部６３の縁隠し材８に対応する部分における溝奥側の端部には、収納部６６が形成されている。各収納部６６は、凹溝部６３の溝奥部に形成された、開閉パネル３側に向かって開口した凹部で構成されている。各収納部６６には弾性部材１１が配置されている。各弾性部材１１は伸縮方向を左右方向としたコイルばねで構成されている。
【００５４】
各弾性部材１１は、開閉パネル３と反対側の端部が対応するドア本体２によって支持されている。また、各弾性部材１１の開閉パネル３側の端部は、対応する縁隠し材８の開閉パネル３と反対側の面に当接している。これにより、各縁隠し材８には対応する弾性部材１１の開閉パネル３側に向かう弾性力が常に付与されている。すなわち、各縁隠し材８は、対応する弾性部材１１によって開閉パネル３側に向かって押圧されている。従って、各縁隠し材８は、開閉パネル３に接触せず外力が作用しない状態では、図１（ｃ）に示されるように突出位置に配置されるようになっている。なお、弾性部材１１は、対応する縁隠し材８に対して一つだけ設けられてもよいし、上下方向に複数設けられてもよい。
【００５５】
図５に示されるように、中間連結材７２の上面及び下面の夫々の中央部には、挿入穴７２１が形成されている。上下の開閉パネル３のうちの上側の開閉パネル３は、下側の軸部５１０が中間連結材７２の上面に形成された挿入穴７２１に挿入されて回動自在に支持されている。また、図示は省略するが、下側の開閉パネル３は、上側の軸部５１０が中間連結材７２の下面に形成された挿入穴に挿入されて回動自在に支持されている。すなわち、本実施形態では、中間連結材７２の上下の挿入穴７２１の周縁部によって、開閉パネル３の中間連結材７２側の軸部５１０を受ける軸受部が構成されている。
【００５６】
上連結材７０及び下連結材７１は棒状であって、左右に長いフレーム材７３の外面部を、化粧シート材７４（幕板）で被覆したものである。
【００５７】
上連結材７０及び下連結材７１の夫々のフレーム材７３は、金属製である。具体的に、上連結材７０及び下連結材７１の夫々のフレーム材７３は、アルミニウム製の押出形材である。このように上連結材７０及び下連結材７１が金属製の形材を備えることで、上連結材７０及び下連結材７１の夫々の強度を高めることができる。
【００５８】
上連結材７０及び下連結材７１の夫々のフレーム材７３は、垂直断面形状が略矩形枠状に形成されている。
【００５９】
上連結材７０及び下連結材７１の夫々の化粧シート材７４は合成樹脂製である。化粧シート材７４は、上連結材７０及び下連結材７１の夫々の前後面に取り付けられている。上連結材７０及び下連結材７１の夫々の表面には、木目模様が施されている。このため、上連結材７０及び下連結材７１は、ドア材６に模した木目調の外観を有している。
【００６０】
上連結材７０及び下連結材７１の夫々のフレーム材７３には、ドア１の付加ユニットとして、図４に示される軸受ユニット９が内装されている。すなわち、軸受ユニット９は各通気開口部２０の開口縁部に設けられている。
【００６１】
上側の開閉パネル３の上側の軸部５１０は、上連結材７０に設けられた軸受ユニット９に回動自在に支持されている。下側の開閉パネル３の下側の軸部５１０は、下連結材７１に設けられた軸受ユニット９に回動自在に支持されている。
【００６２】
両軸受ユニット９は、上下対称である。図６及び図７には、上連結材７０に設けられる軸受ユニット９が図示されている。
【００６３】
各軸受ユニット９は、ケーシング９０、アーム９３、ダンパー９４、付勢部材９５（弾性体）、押圧体９６、及び可動体９７を備えている。アーム９３、ダンパー９４、付勢部材９５、押圧体９６、及び可動体９７は、ケーシング９０に内装されている。
【００６４】
ケーシング９０は、左右に長い矩形箱状に形成されている。上側の軸受ユニット９のケーシング９０は、その長さ方向を上連結材７０の長さ方向と平行にして上連結材７０に内装されている。下側の軸受ユニット９のケーシング９０は、その長さ方向を下連結材７１の長さ方向と平行にして下連結材７１に内装されている。すなわち、各軸受ユニット９は、通気開口部２０の開口縁部に沿って設けられている。
【００６５】
ケーシング９０は、開閉パネル３側の面を構成する板状のベース９１と、開閉パネル３側に開口した箱状でベース９１に被せ付けられるカバー９２とで構成されている。
【００６６】
図７に示されるように、ベース９１の内面には、略扇状（略三角形状）の凹部９１１が形成されている。凹部９１１の内周面の一部は、水平断面形状が戸先側に開いた略Ｖ字状となる回動規制面９１２を構成している。凹部９１１の底部における吊元側の端部（略Ｖ字状の回動規制面９１２の角部側の端部）には、ベース９１を上下に貫通する挿通孔９１０が形成されている。
【００６７】
図示は省略するが、上側の開閉パネル３の上側の軸部５１０は、上連結材７０の下面部を通して上連結材７０内の軸受ユニット９の挿通孔９１０に挿通され、当該軸受ユニット９の凹部９１１内に突出している。これにより、当該軸部５１０は、上側の軸受ユニット９により回動自在に支持されている。
【００６８】
下側の開閉パネル３の下側の軸部５１０は、下連結材７１の上面部を通して軸受ユニット９の挿通孔９１０に挿通され、当該軸受ユニット９の凹部９１１内に突出している。これにより、当該軸部５１０は、下側の軸受ユニット９により回動自在に支持されている。すなわち、本実施形態では、各軸受ユニット９の挿通孔９１０の周縁部によって、開閉パネル３の中間連結材７２と反対側の軸部５１０を受ける軸受部が構成されている。
【００６９】
凹部９１１には、アーム９３が配置されている。アーム９３の長さ方向の一端部には、連結孔９３０が形成されている。連結孔９３０には、開閉パネル３の中間連結材７２と反対側の軸部５１０が挿入され、当該軸部５１０はアーム９３に対して固定されている。これにより、アーム９３は、開閉パネル３の軸部５１０と共に回動するようになっている。
【００７０】
アーム９３の回動範囲は、凹部９１１の回動規制面９１２によって規制される。開閉パネル３は、回動規制面９１２によってドア本体２の厚みの範囲内に納まるように規制される。つまり、本実施形態では、軸受ユニット９の回動規制面９１２が、開閉パネル３の回動範囲を規制する回動規制部を構成している。
【００７１】
各開閉パネル３が図１（ａ）に示される閉位置に配置されたとき、対応する軸受ユニット９のアーム９３は、図８（ａ）に示されるように回動規制面９１２の後側の面に当接し、後側に回動不能になる。
【００７２】
このように閉位置に配置された開閉パネル３は、図１（ａ）に示されるようにドア本体２の厚み方向の中心部に配置され、ドア本体２の幅方向（ドア材６の幅方向）と平行になる。
【００７３】
また、図１（ｃ）に示されるように、各開閉パネル３が開位置に配置されたとき、対応する軸受ユニット９のアーム９３は、図８（ｃ）に示されるように回動規制面９１２の前側の面に当接し、前側に回動不能になる。
【００７４】
開位置に配置された開閉パネル３は、図１（ｃ）に示されるように、その両側の側端部が前後方向においてドア本体２よりも外側に突出する。
【００７５】
図７に示されるように、各軸受ユニット９のアーム９３の連結孔９３０と反対側の端部には、上下方向において開閉パネル３と反対側に突出した連動部９３１が設けられている。各軸受ユニット９の連動部９３１は、開閉パネル３の回動中心よりも戸先側にずれた位置に配置されている。各軸受ユニット９の連動部９３１は円筒状に形成されており、水平断面円形の外周面を有している。
【００７６】
各軸受ユニット９の連動部９３１は、対応する開閉パネル３が縦軸回りに回動したとき、軸部５１０を中心にしてアーム９３と共に縦軸回りに回動する。具体的には、各軸受ユニット９の連動部９３１は、開閉パネル３の開方向への回動時には前側に移動し、開閉パネル３の閉方向への回動時には後側に移動する。
【００７７】
各軸受ユニット９の付勢部材９５は、図８に示されるように、連動部９３１の戸先側に配置されている。各軸受ユニット９の付勢部材９５は、左右方向（すなわち、通気開口部２０の開口縁部に沿う方向）に長く伸縮方向が左右方向と平行なコイルばねで構成されている。
【００７８】
各軸受ユニット９の付勢部材９５の吊元側端部には、押圧体９６が取り付けられている。各軸受ユニット９の押圧体９６は、連動部９３１と左右方向において並べて配置されている。各軸受ユニット９の押圧体９６は、左右方向に移動自在に設けられている。各軸受ユニット９の付勢部材９５は、戸先側がカバー９２によって支持されている。各軸受ユニット９の付勢部材９５は、押圧体９６を常時吊元側（連動部９３１側）にばね付勢している（弾性力を付与している）。
【００７９】
各軸受ユニット９の押圧体９６の吊元側に臨む面は、連動部９３１を押圧する押圧面９６０を構成している。押圧面９６０は、第一面部９６１と第一面部９６１よりも前側に位置した第二面部９６２とを備えている。第一面部９６１は、後方程戸先側に位置するように傾斜している。第二面部９６２は、前方程戸先側に位置するように傾斜している。
【００８０】
各軸受ユニット９の押圧面９６０は、さらに中間面部９６３を備えている。中間面部９６３は、水平断面形状が吊元側に凸となる弧状に形成されている。中間面部９６３は、第一面部９６１と第二面部９６２を連続させている。第一面部９６１は、第二面部９６２よりも前後方向の長さが長くなっている。中間面部９６３は、第一面部９６１、第二面部９６２、及び中間面部９６３で構成された押圧面９６０において前寄りの位置に形成されている。
【００８１】
各開閉パネル３が図１（ａ）に示されるように閉位置に配置された状態では、開閉パネル３の両側の側端部（縦枠材５０）は、対応する縁隠し材８の嵌合部８０に嵌め込まれる。また、このとき、開閉パネル３の各縦枠材５０の面５０６は、弾性部材１１によって開閉パネル３側に押圧された対応する縁隠し材８の凹部８００の奥面部８０２によって、通気開口部２０の幅方向内側に向けて押圧される。これにより、閉位置に配置された開閉パネル３は保持される。すなわち、本実施形態の各縁隠し材８は、閉位置に配置された開閉パネル３を保持する保持部材を構成している。
【００８２】
また、このように閉位置に配置された開閉パネル３は、戸先側の側端部が戸先側の縁隠し材８の前側の突部８０３の後方に配置され、吊元側の側端部が吊元側の縁隠し材８の後側の突部８０３の前方に配置される。このため、通気開口部２０の戸先側の側面と開閉パネル３の間の隙間は、戸先側の縁隠し材８によって塞がれ、通気開口部２０の吊元側の側面と開閉パネル３の間の隙間は、吊元側の縁隠し材８によって塞がれる。つまり、通気開口部２０の略全体が開閉パネル３で閉塞されることとなり、通気開口部２０による部屋の換気は行われない。また、このように開閉パネル３が閉じられた状態にあるときには、ドア１を前後方向から見たときに、通気開口部２０を通してドア１の反対側が見え難くなる。また、閉位置に配置された開閉パネル３は、対応する縁隠し材８の突部８０３によって縦軸回りに回動し難くい状態となる。
【００８３】
また、各開閉パネル３が閉位置に配置された状態では、図８（ａ）に示されるように、対応する軸受ユニット９のアーム９３の連動部９３１が第一面部９６１の後端部に当接する位置に配置される。この連動部９３１は、付勢部材９５により付勢された押圧体９６の第一面部９６１によって後側に押圧される。このため、アーム９３は、回動規制面９１２の後側の面に押し付けられ、開閉パネル３は閉位置で保持される。
【００８４】
利用者が、図１（ａ）に示されるように閉位置に配置された開閉パネル３を開き方向（平面視左回り）に回動させる。このようにすると、開閉パネル３の両側の側端部によって、対応する縁隠し材８が弾性部材１１の弾性力に抗して開閉パネル３から離れる側に押し込まれる。
【００８５】
具体的には、開閉パネル３の戸先側の縦枠材５０によって、戸先側の縁隠し材８の前側の側面部８０１が前側に押圧され、これにより戸先側の縁隠し材８は弾性部材１１の弾性力に抗して戸先側に移動する。また、開閉パネル３の吊元側の縦枠材５０によって、吊元側の縁隠し材８の後側の側面部８０１が後側に押圧され、これにより戸先側の縁隠し材８は弾性部材１１の弾性力に抗して戸先側に移動する。このため、閉位置に配置された開閉パネル３が開き方向に回動されたときには、開閉パネル３の両側の側端部は、図１（ｂ）に示されるように対応する縁隠し材８の突部８０３を乗り越えて対応する嵌合部８０との嵌合が外れるようになっている。
【００８６】
なお、両縁隠し材８は、前記のように開閉パネル３との嵌合が外れた後、弾性部材１１の弾性力によって開閉パネル３側に移動するようになっている。このため、両縁隠し材８は、開閉パネル３が開位置に配置されたときには、図１（ｃ）に示される突出位置に復帰するようになっている。
【００８７】
また、前記のように閉位置に配置された開閉パネル３が開き方向に回動されたときには、対応する軸受ユニット９のアーム９３は、図８（ｂ）に示されるように軸部５１０を中心にして前側に回動する。これに伴い、連動部９３１は押圧体９６を付勢部材９５の付勢力に抗して戸先側に押し込みながら前側に移動し、押圧体９６の中間面部９６３を乗り越える。そして、開閉パネル３が開位置に配置された時点で、連動部９３１は図８（ｃ）に示されるように第二面部９６２に当接する位置に配置される。このように開閉パネル３が開位置に配置された状態では、連動部９３１が付勢部材９５によって吊元側に付勢された押圧体９６の第二面部９６２により前側に押圧される。このため、アーム９３は回動規制面９１２の前側の面に押し付けられ、開閉パネル３は開位置で保持された状態となる。
【００８８】
利用者が図１（ｃ）に示されるように開位置に配置された開閉パネル３を閉方向（平面視右回り）に回動させる。このようにすると、図８（ｂ）に示されるように対応する軸受ユニット９のアーム９３が軸部５１０を中心にして後側に回動する。これに伴い、連動部９３１は押圧体９６を付勢部材９５の付勢力に抗して戸先側に押し込みながら後側に移動し、押圧体９６の中間面部９６３を乗り越える。そして、開閉パネル３が所定開き角度まで閉じられた時点で、連動部９３１は第一面部９６１の前端部に当接する位置に至る。このように連動部９３１が第一面部９６１の前端部に当接すると、付勢部材９５によって吊元側に付勢された押圧体９６の第一面部９６１によって連動部９３１が後側に押し動かされ、アーム９３は軸部５１０を中心に後側に回動する。この付勢部材９５によるアーム９３の回動は、連動部９３１が第一面部９６１の後端部に至ってアーム９３が回動規制面９１２の後側の面に当接するまで、すなわち、開閉パネル３が閉位置に配置されるまで行われる。つまり、所定開き角度まで閉じられた開閉パネル３は、付勢部材９５の付勢力によって閉位置まで自動的に回動する。
【００８９】
また、前記のように開位置に配置された開閉パネル３が閉方向に回動されると、開閉パネル３の両側の側端部によって、対応する縁隠し材８が弾性部材１１の弾性力に抗して開閉パネル３から離れる側に押し込まれる。
【００９０】
具体的には、開閉パネル３の戸先側の縦枠材５０によって、戸先側の縁隠し材８の前側の突部８０３のガイド面８０４が後側に押圧され、これにより戸先側の縁隠し材８は弾性部材１１の弾性力に抗して戸先側に移動する。また、開閉パネル３の吊元側の縦枠材５０によって、吊元側の縁隠し材８の後側の突部８０３のガイド面８０４が前側に押圧され、これにより吊元側の縁隠し材８は弾性部材１１の弾性力に抗して吊元側に移動する。このため、開位置に配置された開閉パネル３が閉方向に回動されたときには、開閉パネル３の両側の側端部は、対応する縁隠し材８の突部８０３を乗り越えて、図１（ａ）に示されるように対応する嵌合部８０と嵌合するようになっている。
【００９１】
なお、前記のように開位置に配置された開閉パネル３が閉方向に回動された場合、開閉パネル３の両側の側端部は、対応する縁隠し材８の突部８０３を乗り越えた後、弾性部材１１の弾性力によって開閉パネル３側に移動するようになっている。このため、両縁隠し材８は、開閉パネル３が閉位置に配置されたときには、図１（ａ）に示される位置に復帰するようになっている。
【００９２】
各軸受ユニット９の押圧体９６、及び連動部９３１が設けられたアーム９３は、付勢部材９５のドア本体２の幅方向と平行な付勢力の向きを開閉パネル３の回動方向の成分を含む向きに変換した上で、開閉パネル３に伝える付勢力伝達部を構成する。このため、本実施形態のように付勢部材９５としてドア本体２の幅方向に長いコイルばね等を利用した場合に、付勢部材９５をドア本体２（連結材７）の厚みの範囲内に納めやすくなるといったがある。
【００９３】
各軸受ユニット９のダンパー９４は、連動部９３１の吊元側に配置されている。各軸受ユニット９のダンパー９４は、伸縮式のシリンダーダンパーである。詳しくは、各軸受ユニット９のダンパー９４は、ピストン９４０がシリンダー９４１側に押し込まれる方向に移動するときに減衰力を作用させ、且つピストン９４０が伸長状態となる原点に自動で復帰する自動復帰機能を備えたワンウェイ式のオイルダンパーある。
【００９４】
各軸受ユニット９のダンパー９４は、ピストン９４０を戸先側に向けて配置される。各軸受ユニット９のピストン９４０の先端部には、可動体９７が取り付けられている。各軸受ユニット９の可動体９７は、連動部９３１と左右方向において並べて配置されている。各軸受ユニット９の可動体９７の戸先側の面は、連動部９３１が当接する当接面９７０となっている。当接面９７０は、前方程吊元側に位置するように傾斜している。
【００９５】
開閉パネル３が開位置に配置された状態では、図８（ｃ）に示されるように、ダンパー９４が伸長し、連動部９３１が可動体９７の当接面９７０の前側に配置される。利用者が、開位置に配置された開閉パネル３を閉位置まで回動させると、アーム９３の回動に伴って、連動部９３１が可動体９７を吊元側に押し込みながら当接面９７０の後側に移動する。このとき、可動体９７と共に吊元側に移動するピストン９４０に対して減衰力が作用する。これにより開閉パネル３の閉方向の回動動作がダンパー９４によって緩衝される。従って、開閉パネル３が勢いよく閉じられて大きな音が発生したり、開閉パネル３やこれを受ける部材が変形したり破損したりすることを防止できる。また、開閉パネル３が閉じられるときに、開閉パネル３と通気開口部２０の側面の間に指等が強く挟まれることも防止することができる。
【００９６】
また、利用者が開閉パネル３を開位置まで回動させると、アーム９３の回動に伴って、連動部９３１が前側に移動し、この際、可動体９７はダンパー９４の復帰力によって連動部９３１に追従して戸先側に移動し、図８（ｃ）に示す状態となる。
【００９７】
ここで、連動部９３１が設けられたアーム９３、及び可動体９７は、開閉パネル３の回動動作をピストン９４０のドア本体２の幅方向と平行な動作に変換する動作変換部を構成している。このため、本実施形態のようにダンパー９４としてドア本体２の幅方向に長いシリンダーダンパーを利用して、ダンパー９４をドア本体２（連結材７）の厚みの範囲内に納めやすくなるといった利点がある。
【００９８】
ドア本体２の上連結材７０及び下連結材７１は、図３に示されるように、左右両端部が対応するドア材６の嵌込溝部６２に嵌め込まれて対応するドア材６にねじ止めされている。上連結材７０の開閉パネル３と反対側の面は、両側のドア材６の上面と略面一になっている。下連結材７１の開閉パネル３と反対側の面は、両側のドア材６の下面と略面一になっている。
【００９９】
戸先側のドア材６の前後両面には、図２に示されるように、取手としてレバーハンドル１０（レバー型ドアノブ）が取り付けられている。各レバーハンドル１０は、ドア本体２の上下方向において両通気開口部２０の境界部となる中間連結材７２と同じ位置に配置されている。
【０１００】
各レバーハンドル１０はレバー部１００を備えている。各レバーハンドル１０のレバー部１００は、非回動位置（非使用位置）から回動位置までの範囲で回動自在となっている。各レバーハンドル１０は、レバー部１００を回動位置まで回動することで、ドア１を開く際にドア本体２に設けられたラッチ（不図示）が操作されるように構成されている。また、各レバーハンドル１０のレバー部１００は、例えばばね等で構成された付勢部材によって、回動位置から非回動位置に自動的に復帰されるようになっている。
【０１０１】
各レバーハンドル１０のレバー部１００は、前記非回動位置に配置されたとき、吊元側に突出してドア１の幅方向と平行（水平）になる。また、このときレバー部１００の回動軸と反対側の先部は、前後方向において中間連結材７２と重なる位置に配置される。このため、ドア１を正面から見た場合には、レバー部１００の先部の後側に中間連結材７２が位置する。従って、レバーハンドル１０のレバー部１００で開閉パネル３が隠れ難くなり、開閉パネル３から光を十分量採り入れることが可能になる。
【０１０２】
以上説明した本実施形態の建材（ドア１）は、建材本体（ドア本体２）と、縦長の開閉パネル３を備えている。建材本体には、縦長で前後方向に貫通する換気用の通気開口部２０が設けられている。開閉パネル３は、通気開口部２０を閉じる閉位置と通気開口部２０を開く開位置との間で縦軸回りに回動自在に設けられている。建材は、さらに通気開口部２０の両側に通気開口部２０の幅方向に移動可能に設けられた保持部材（縁隠し材８）と、各保持部材に通気開口部２０の幅方向の内側に向かって弾性力を付与する弾性部材１１とを備えている。そして、各保持部材には、閉位置に配置された開閉パネル３の側端部が着脱可能に凹凸嵌合する嵌合部８０が形成されている。
【０１０３】
この建材にあっては、開閉パネル３を開位置に配置することで通気開口部２０を通して部屋の換気を行い、開閉パネル３を閉位置に配置することで通気開口部２０を塞いで部屋の換気を止めることができる。
【０１０４】
また、閉位置に配置された開閉パネル３の両側端部を、弾性部材１１によって通気開口部２０の幅方向内側に向けて押圧された対応する保持部材の嵌合部８０に凹凸嵌合させることができる。また、両保持部材は通気開口部２０の幅方向に移動可能である。このため、寸法誤差や施工誤差等によって閉じられた開閉パネル３の位置が通気開口部２０の幅方向に多少ずれたとしても、開閉パネル３の両側端部を対応する保持部材の嵌合部８０に合わせて嵌合することができる。従って、閉位置に配置された開閉パネル３を両保持部材によってしっかりと保持することができる。
【０１０５】
また、開閉パネル３は、本実施形態のように、透光性を有する採光パネルであることが好ましい。このようにすると、通気開口部２０を開閉する開閉パネル３を利用して部屋に光を採り入れることができ、通気機能と採光機能の両者を有する建材にすることができる。また、本実施形態のように開閉パネル３を縦軸回りに回動自在にしたときには、開閉パネル３を透して部屋に光を取り入れるときに、開閉パネル３に積もった埃やごみ等が影となって映り難くすることができる。また、縦軸回りに回動自在な開閉パネル３を縦長にすることにより、開位置に配置された開閉パネル３と通気開口部２０の両側面の間に形成される通気用の空間を大きくして十分な通気量を確保することもできる。
【０１０６】
なお、ドア本体２に設けられる開閉パネル３の数は二枚に限られるものではない。例えば、開閉パネル３は、ドア本体２の上下方向の略全長に亘るように、一枚あるいは三枚以上設けられてもよい。
【０１０７】
（第二実施形態）
次に前記実施形態とは異なる第二実施形態について説明する。なお、以下の説明では、第一実施形態と共通の機能を有する構成要素については、第一実施形態と同じ名称及び同じ符号を用いて説明し、第一実施形態で説明した事項と重複する事項については説明を省略する。
【０１０８】
図９には本実施形態のドア１の正面図が示されている。本実施形態のドア１には、ドア本体２の上下方向の略全長に亘るように開閉パネル３が一枚だけ設けられている。
【０１０９】
両ドア材６は、図９に示されるように、互いの上端部及び下端部同士が連結材７によって連結されている。すなわち、本実施形態では、中間連結材７２が省略され、連結材７として、上連結材７０と下連結材７１のみを備えている。
【０１１０】
ドア本体２には、上下方向の略全長に亘るように縦長矩形状の通気開口部２０が一つ形成されている。通気開口部２０は、上連結材７０、下連結材７１、及び左右のドア材６で囲まれている。通気開口部２０の上縁部は上連結材７０で構成され、通気開口部２０の下縁部は下連結材７１で構成されている。また、通気開口部２０の左右の縁部は、左右のドア材６で構成されている。
【０１１１】
また、通気開口部２０の両側には、第一実施形態と同様に、縁隠し材８及び弾性部材１１が設けられている。
【０１１２】
なお、前記各実施形態では、開閉パネル３を、透光板３０とパネル枠５で構成したが、パネル枠５を省略し、開閉パネル３を透光板３０で構成してもよい。すなわち、この場合は、透光板３０の上下両端部に軸部５１０が設けられることとなる。
【０１１３】
また、前記各実施形態では、開閉パネル３を透光性を有する採光パネルで構成したが、例えば開閉パネル３は透光性を有さない部材であってもよい。また、前記各実施形態では、開閉パネル３をドア本体２の戸先側に設けたが、吊元側やドア本体２の幅方向中心部に設けてもよい。
【０１１４】
また、前記各実施形態における開閉パネル３は、開位置に配置されたときにも、ドア本体２の厚みの範囲内に納まるように設けられてもよい。
【０１１５】
また、前記各実施形態の付勢部材９５はコイルばね以外の弾性体であってもよい。また、ダンパー９４もオイルダンパーやシリンダーダンパーに限られるものではなく、ロータリーダンパー等、従来から知られている他のダンパーを用いてもよい。また、前記各実施形態では、軸受ユニット９により自動で開閉パネル３が閉じるようにしたが、この機能は省略可能である。
【０１１６】
また、前記各実施形態のドア材６は、水平断面矩形状の板を芯材としたものや、無垢材等であってもよい。
【０１１７】
また、前記各実施形態では、例えば各縁隠し材８の嵌合部８０を凸部とし、開閉パネル３の両側端部に凹部を形成し、開閉パネル３が閉位置に配置されたときに開閉パネル３の両側の凹部が対応する縁隠し材の凸部に嵌合するようにしてもよい。
【０１１８】
また、前記各実施形態に弾性部材１１は、縁隠し材８を通気開口部２０の幅方向の内側に向けて付勢するものであればよく、コイルばね以外のばねや、ゴム等の他の弾性体であってもよい。
【０１１９】
また、前記各実施形態は、本発明を開き戸に適用した例であるが、本発明は開き戸以外の他のドアにも適用可能である。前記他のドアとしては、引き戸（間仕切りとして用いられるものも含む）や、クローゼットや押し入れ等の収納の前面に設けられる収納用建具等が挙げられる。また、本発明はドアに限られず、壁等の他の建材にも適用可能である。
【０１２０】
また、この他、本発明は上述した実施形態に限定されるものではなく、本発明の趣旨を逸脱しない範囲内で適宜設計変更可能である。
【符号の説明】
【０１２１】
１  ドア（建材）
２  ドア本体（建材本体）
３  開閉パネル
８  縁隠し材（保持部材）
８０  嵌合部
１１  弾性部材
【図１】
2015098713.tif 000003
【図２】
2015098713.tif 000004
【図３】
2015098713.tif 000005
【図４】
2015098713.tif 000006
【図５】
2015098713.tif 000007
【図６】
2015098713.tif 000008
【図７】
2015098713.tif 000009
【図８】
2015098713.tif 000010
【図９】
2015098713.tif 000011